(57)【特許請求の範囲】
【請求項１】
著作権非対応のメモリカードと、上記著作権非対応のメモリカードと略同一形状の著作権対応のメモリカードとが共に挿入可能なスロットと、
上記スロットに挿入されたメモリカードが、上記著作権対応のメモリカードか、上記著作権非対応のメモリカードかを判別する判別手段と、
著作権保護非対象のデータを記録する際に、上記判別手段にて著作権対応のメモリカードのみが挿入されていると判別された場合には、上記著作権保護非対象のデータを上記著作権対応のメモリカードに記録する記録手段と、
上記記録手段にて上記著作権保護非対象のデータを上記著作権対応のメモリカードに記録した後に、上記スロットに記録可能容量を有する著作権非対応のメモリカードが挿入された場合には、上記著作権対応のメモリカードに記録した著作権保護非対象のデータを新たに挿入された著作権非対応のメモリカードに転写する制御手段と、
を備えている携帯端末。
【請求項２】
上記制御手段は、上記著作権非対応のメモリカードに上記著作権対応のメモリカードに記録した著作権保護非対象のデータを転写した後、上記著作権対応のメモリカードに記録した著作権保護非対象のデータを消去するように制御する請求項１に記載の携帯端末。
【請求項３】
上記制御手段は、上記著作権保護非対象のデータを上記著作権対応のメモリカードに記録した後、所定時間内に上記スロットに著作権非対応のメモリカードの挿入が検出されなかった場合、又は上記著作権対応のメモリカードのイジェクト命令の発生が検出された場合、上記著作権対応のメモリカードに記録した著作権保護非対象のデータを消去するように制御する請求項１に記載の携帯端末。
【請求項４】
上記記録手段は、著作権対応のメモリカードに著作権保護非対象のデータを記録する際、上記著作権保護非対象のデータの暗号化を施さずに記録する請求項１に記載の携帯端末。
【請求項５】
著作権非対応のメモリカードと、上記著作権非対応のメモリカードと略同一形状の著作権対応のメモリカードとが共に挿入可能なスロットと、
上記スロットに挿入されたメモリカードが、上記著作権対応のメモリカードか、上記著作権非対応のメモリカードかを判別する判別手段と、
著作権保護対象のデータを記録する際に、上記判別手段にて著作権非対応のメモリカードのみが挿入されている判別された場合には、上記著作権保護対象のデータを上記著作権非対応のメモリカードに記録する記録手段と、
上記記録手段にて上記著作権保護対象のデータを上記著作権非対応のメモリカードに記録した後に、上記スロットに記録可能容量を有する著作権対応のメモリカードが挿入された場合には、上記著作権非対応のメモリカードに記録した著作権保護対象のデータを新たに挿入された著作権対応のメモリカードに転写する制御手段と、
を備えている携帯端末。
【請求項６】
上記制御手段は、上記著作権対応のメモリカードに上記著作権非対応のメモリカードに記録した著作権保護対象のデータを転写した後、上記著作権非対応のメモリカードに記録した著作権保護対象のデータを消去するように制御する請求項５に記載の携帯端末。
【請求項７】
上記制御手段は、上記著作権保護対象のデータを上記著作権非対応のメモリカードに記録した後、所定時間内に上記スロットに著作権対応のメモリカードの挿入が検出されなかった場合、又は上記著作権非対応のメモリカードのイジェクト命令の発生が検出された場合、上記著作権非対応のメモリカードに記録した著作権保護対象のデータを消去するように制御する請求項５に記載の携帯端末。
【請求項８】
上記記録手段は、著作権非対応のメモリカードに著作権保護対象のデータを記録する際、上記著作権保護対象のデータに暗号化を施して記録する請求項５に記載の携帯端末。
【請求項９】
内蔵マイクロホン及び／又は外部マイクロホンが接続可能なマイク端子を備えている音声入力手段と、
外部機器と接続する入力端子手段とを備え、
上記記録手段は、録音モードとして、上記音声入力手段から入力される音声データを記録する口述録音モードと、上記端子入力手段から入力される音楽データを記録する音楽録音モードとを備えている請求項１又は請求項５に記載の携帯端末。
【発明の詳細な説明】
【０００１】
【発明の属する技術分野】
本発明は、著作権対応のメモリカードと著作権非対応のメモリカードを共に挿入可能な携帯端末に関するものである。
【０００２】
【従来の技術】
現在、ＷＷＷ（world wide web）において、ＰＣ（パーソナルコンピュータ）を介して所望のサーバにアクセスして圧縮が施された音楽、映像等のデジタルデータをＰＣ上のハードデイスクにダウンロードしてユーザが楽しむことが行われている。
更に、フラッシュメモリに代表される不揮発性メモリを搭載した携帯端末をＩＥＥＥ１３９４規格のケーブル、ＲＳ(recommended standard)−２３２Ｃ、ＵＳＢ(universal standard bus)等のＩ／Ｆ（インターフェース）を介して上記ＰＣに接続してハードデイスク上の圧縮が施された音楽、映像等のデジタルデータを上記フラッシュメモリに移動もしくは複写して屋外で楽しむ携帯端末が知られている。
【０００３】
しかし、上記インターネット経由でダウンロードされるデジタルデータに関しては現段階では暗号化及び／又は認証を施す等の著作権管理が厳しくなされてない為に違法コピーが広まってしまうという懸念がある。
そこで、上記著作権管理を厳しく行う為に不揮発性メモリ内部に認証及び暗号（復号及び変調）を行う信号処理回路を搭載した著作権対応のメモリカードが現在提唱されている。
なお、現在提唱されつつある著作権対応のメモリカードと従来からの非著作権対応のメモリカードは、略同一形状とされており外見上見分けがつきにくいという状況がある。
【０００４】
現在、携帯端末の形態としては、従来のテープレコーダーに適応されているテープメデイアの代りに上記メモリカードを用いた口述記録用携帯端末と、従来のＭＤ（ミニデイスク）やＣＤ−Ｒに代表される記録媒体を適応した音楽ダビング用のレコーダの代りに上記メモリカードを用いた音楽用携帯端末が提唱されている。
更に、上記口述記録用携帯端末及び音楽用携帯端末の部品は共通化可能な為に一体化した携帯端末も考えられる。
【０００５】
【発明が解決しようとする課題】
ところで、上記著作権対応のメモリカードと従来からの非著作権対応のメモリカードは、略同一形状を成し外見上見分けがつかないという理由から、例えば著作権保護対象であるコンテンツを記録する際に、ユーザーが誤って著作権非対応のメモリカードが挿入されたり、逆に、著作権保護対象外であるコンテンツを記録する際に誤って著作権対応のメモリカードが挿入するような場合がある。
【０００６】
ここで、著作権保護対象であるコンテンツを記録する際に誤って著作権非対応のメモリカードが挿入された場合において、著作権保護の目的から、記録を禁止するようにすることが考えられるが、例えばユーザが課金処理を行った後にパーソナルコンピュータを経由してサーバから著作権保護対象であるコンテンツをダウンロードしたとしても著作権非対応のメモリカードが挿入されているために記録が行われないことになり、ユーザーに無用な負担を与えることになり不都合である。
【０００７】
更に、ＣＤ等からデジタル信号に暗号化を施して記録を行う際に、誤って著作権非対応のメモリカードが挿入された場合には、記録を禁止していた為に、ユーザはＣＤ等からのデジタル信号の記録が行われていると思っていても実際は何のコンテンツも記録されていないといった状況が生じ、これも好ましくない。
【０００８】
更に、ユーザが著作権保護対象のコンテンツを記録する際に、誤って著作権非対応のメモリカードが挿入されたことに気付き、著作権対応のメモリカードを挿入（又は差換え）した場合でも、録音するコンテンツの冒頭部が録音できないという問題点がある。
【０００９】
また、著作権保護対象外であるコンテンツを記録する際に、誤って著作権対応のメモリカードが挿入された場合についても、記録を禁止するということが考えられるが、そのようにすると、例えば会議録音などの大事なコンテンツが全く記録されていない状態となるという不都合がある。
【００１０】
更に、ユーザが著作権保護対象外のコンテンツを記録する際に、誤って著作権対応のメモリカードが挿入されたことに気付き、著作権非対応のメモリカードを挿入（又は差換え）した場合でも、録音するコンテンツの冒頭部が録音できないことになる。
【００１１】
著作権保護を目的とする著作権対応のメモリカードを導入するにあたっては、ユーザーが著作権対応のメモリカードと著作権非対応のメモリカードを区別しずらいという事情から、上記各場合のようにユーザーにとって不都合な状況がおこりやすく、使用性に問題がある。
【００１２】
【課題を解決するための手段】
本発明はこのような状況に鑑み、著作権対応のメモリカードと著作権非対応のメモリカードが外見上区別しずらいものであっても、使用上の不都合がないようにすることを目的とする。
【００１４】
また本発明の携帯端末は、著作権非対応のメモリカードと上記著作権非対応のメモリカードと略同一形状の著作権対応メモリカードとが共に挿入可能なスロットと、上記スロットに挿入されたメモリカードが、著作権対応のメモリカードか、上記著作権非対応のメモリカードかを判別する判別手段と、著作権保護非対象のデータを記録する際に、上記判別手段にて著作権対応のメモリカードのみが挿入されたと判別された場合には、上記著作権保護非対象のデータを上記著作権対応のメモリカードに記録する記録手段と、上記記録手段にて上記著作権保護非対象のデータを上記著作権対応のメモリカードに記録後に、上記スロットに記録可能容量を有する著作権非対応のメモリカードが挿入された場合には上記著作権対応のメモリカードに記録した著作権保護非対象のデータを新たに挿入された著作権非対応のメモリカードに転写する制御手段とを備えるようにする。
【００１５】
更に本発明の携帯端末は、著作権非対応のメモリカードと上記著作権非対応のメモリカードと略同一形状の著作権対応メモリカードとが伴に挿入可能なスロットと、上記スロットに挿入されたメモリカードが、著作権対応のメモリカードか、上記著作権非対応のメモリカードかを判別する判別手段と、著作権保護対象のデータを記録する際に、上記判別手段にて著作権非対応のメモリカードのみが挿入されたと判別された場合には、上記著作権保護対象のデータを上記著作権非対応のメモリカードに記録する記録手段と、上記記録手段にて上記著作権保護対象のデータを上記著作権非対応のメモリカードに記録後に、上記スロットに記録可能容量を有する著作権対応のメモリカードが挿入された場合には上記著作権非対応のメモリカードに記録した著作権保護対象のデータを新たに挿入された著作権対応のメモリカードに転写する制御手段とを備えるようにする。
【００１６】
即ち本発明は、著作権対応のメモリカードが挿入されている際に著作権保護非対象（著作権保護が不要な情報）のデータが記録されようとする場合でも、そのデータを著作権対応のメモリカードに記録するようにし、後に著作権非対応のメモリカードに移動又は複写されるようにする。
また逆に、著作権非対応のメモリカードが挿入されている際に著作権保護対象（著作権保護が必要な情報）のデータが記録されようとする場合でも、そのデータを著作権非対応のメモリカードに記録するようにし、後に著作権対応のメモリカードに移動又は複写されるようにする。
【００１７】
【発明の実施の形態】
以下、本発明の実施の形態の携帯端末について説明していく。
図１に本例の携帯端末の外観を示す。
【００１８】
図１に示す携帯端末は、複数のメモリカードが挿入可能なスロット１（１ａ、１ｂ）を備え、このスロット１には外観及び形状が略同一な著作権対応のメモリカード２ａと著作権非対応のメモリカード２ｂが挿入可能とされている。
各スロット１ａ、１ｂは、各々著作権対応のメモリカード２ａと著作権非対応のメモリカード２ｂの専用スロットではなく、著作権対応のメモリカード２ａが２枚各々のスロットに挿入されてもよいし、著作権非対応のメモリカード２ｂが２枚各々のスロットに挿入されてもよい。
【００１９】
このように複数のスロットを有し、複数のメモリカードを同時に装着できることで、一方のメモリカードから他方のメモリカードへのデータの複写又は移動が容易に実行できるものとなる。
【００２０】
本例の携帯端末は、録音モードとして口述録音モードと音楽録音モードという２種類のモードが用意されている。
口述録音モードは、例えば内蔵するマイクロホン３によって聴取された会議等の音声を口述記録するモードである。
音楽録音モードは、例えば、この携帯端末をＲＳ(recommended standard)−２３２Ｃ、ＩＥＥＥ１３９４ケーブル、もしくはＵＳＢ(Universal standard bus)等のケーブル４を介して図示しないＰＣ（パーソナルコンピュータ）と接続して、ＰＣ側のハードデイスクに蓄積された圧縮処理及び暗号化処理が施されたオーデイオ信号を伝送し、携帯端末に挿入されたメモリカードに記憶するモードである。
つまり本例の携帯端末は、パーソナルコンピュータ等から伝送される著作権保護対象のデータと、マイクロホン３等から入力で著作権保護非対象のデータの両方の録音用途に兼用される装置とされる。
【００２１】
また本例の携帯端末は、内蔵のマイクロホン３の他に、外部マイクを接続可能なマイク端子５を備えている。これは、上記マイクロホン３以外の、著作権保護非対象のデータの入力手段となる。
また、パーソナルコンピュータに対する接続による音楽録音のみならず、外部のＣＤプレーヤなどからのＣＤ等のオーディオデータ、つまり暗号化が施されてていないオーデイオ出力信号を入力可能なライン入力端子６を更に備えている。これは、上記パーソナルコンピュータ接続以外の、著作権保護対象のデータの入力手段となる。
【００２２】
なお、携帯装置からの再生データ（音声、音楽）に関する出力系については詳しい説明は省略するが、図示するヘッドホン端子（ＨＰ）や、ライン出力端子、或いは内蔵スピーカなどが形成されてもよい。
【００２３】
この携帯端末のユーザーインターフェース部位としては、表示部８や各種操作子が形成されている。
例えばＬＣＤ（液晶ディスプレイ）で形成される表示部８には、再生中の曲やファイルのトラック表示、曲名やファイル名等のタイトル表示、経過時間（演奏時間）表示等をが行われる。
また、ジョグダイヤル７が設けられ、ユーザは上記口述録音モードと音楽録音モードの設定、録音した曲やファイルに対しての文字入力、録音した曲やファイルに対する選曲操作等をジョグダイヤル７を回転駆動することで操作可能とされる。
更に再生キー９、一時停止キー１０、録音キー１１、ＦＲキー１２、ＦＦキー１３、停止キー１４等を備え、それぞれユーザー操作に供されている。
【００２４】
図２は、著作権対応のメモリカード２ａの構成を示す。
メモリカード２ａは、コントロールブロック２１とフラッシュメモリ２２が１チップＩＣとして構成されたものである。
【００２５】
上記携帯端末とメモリカード２ａとの間の双方向シリアルインタフェース（メモリインタフェース１１）は、１０本の線からなる。
主要な４本の線は、データ伝送時にクロックを伝送するためのクロック線ＳＣＫと、ステータスを伝送するためのステータス線ＳＢＳと、データを伝送するデータ線ＤＩＯ、インターラプト線ＩＮＴとである。その他に電源供給用線として、２本のＧＮＤ線および２本のＶＣＣ線が設けられる。２本の線Ｒｅｓｅｒｖは、未定義の線である。
【００２６】
クロック線ＳＣＫは、データに同期したクロックを伝送するための線である。ステータス線ＳＢＳは、メモリカード２ａのステータスを表す信号を伝送するための線である。
データ線ＤＩＯは、コマンドおよび暗号化されたオーディオデータを入出力するための線である。インターラプト線ＩＮＴは、メモリカード２ａから携帯端末のＣＰＵに対しての割り込みを要求するインターラプト信号を伝送する線である。メモリカード２ａを装着した時にインターラプト信号が発生する。但し、本例では、かかるインターラプト信号をデータ線ＤＩＯを介して伝送するようにしているので、インターラプト線ＩＮＴを接地し、使用していない。
【００２７】
コントロールブロック２１のシリアル／パラレル変換・パラレル／シリアル変換・インタフェースブロック（Ｓ／Ｐ，Ｐ／Ｓ，ＩＦブロックと略す）２３は、上述した複数の線を介して接続された携帯端末のメモリインタフェースとコントロールブロック２１とのインタフェースである。
Ｓ／Ｐ，Ｐ／Ｓ，ＩＦブロック２３は、携帯端末から受け取ったシリアルデータをパラレルデータに変換し、コントロールブロック２１に取り込み、コントロールブロック２１からのパラレルデータをシリアルデータに変換して携帯端末に送る。
また、Ｓ／Ｐ，Ｐ／Ｓ，ＩＦブロック４３は、データ線ＤＩＯを介して伝送されるコマンドおよびデータを受け取った時に、フラッシュメモリ２２に対する通常のアクセスのためのコマンドおよびデータと、暗号化に必要なコマンドおよびデータとを分離する。
【００２８】
つまり、データ線ＤＩＯを介して伝送されるフォーマットでは、最初にコマンドが伝送され、その後にデータが伝送される。Ｓ／Ｐ，Ｐ／Ｓ，ＩＦブロック２３は、コマンドのコードを見て、通常のアクセスに必要なコマンドおよびデータか、暗号化に必要なコマンドおよびデータかを判別する。
この判別結果に従って、通常のアクセスに必要なコマンドをコマンドレジスタ２４に格納し、データをページバッファ２５およびライトレジスタ２６に格納する。ライトレジスタ２６と関連してエラー訂正符号化回路２７が設けられている。ページバッファ２５に一時的に蓄えられたデータに対して、エラー訂正符号化回路２７がエラー訂正符号の冗長コードを生成する。
【００２９】
メモリカード２ａへの記録時には、コマンドレジスタ２４、ページバッファ２５、ライトレジスタ２６およびエラー訂正符号化回路２７の出力データがフラッシュメモリインタフェースおよびシーケンサ（メモリＩ／Ｆ，シーケンサと略す）３１に供給される。メモリＩＦ，シーケンサ３１は、コントロールブロック２１とフラッシュメモリ２２とのインタフェースであり、両者の間のデータのやり取りを制御する。メモリＩＦ，シーケンサ３１を介してデータがフラッシュメモリ２２に書き込まれる。
【００３０】
メモリカード２ａからの再生時には、フラッシュメモリ２２から読み出されたデータがメモリＩＦ，シーケンサ３１を介してページバッファ２５、リードレジスタ２８、エラー訂正回路２９に供給される。ページバッファ２５に記憶されたデータがエラー訂正回路２９によってエラー訂正がなされる。エラー訂正がされたページバッファ２５の出力およびリードレジスタ２８の出力がＳ／Ｐ，Ｐ／Ｓ，ＩＦブロック２３に供給され、上述したシリアルインタフェースを介して携帯端末のＣＰＵに供給される。
【００３１】
なお、コンフィグレーションＲＯＭ３０は、メモリカード２ａのバージョン情報、各種の属性情報等が格納されている部位である。
また、メモリカード２ａには、ユーザが必要に応じて操作可能な誤消去防止用のスイッチ４０が備えられている。このスイッチ４０が消去禁止の接続状態にある場合には、フラッシュメモリ２２を消去することを指示するコマンドが携帯端末側から送られてきても、フラッシュメモリ２２の消去が禁止される。
発振器４１は、メモリカード２ａの処理のタイミング基準となるクロックを発生する。
【００３２】
メモリカード２ａには著作権保護機能を実現するためセキュリティブロック３２が設けられる。
そして著作権保護のために、携帯端末のセキュリティＩＣ（後述する暗号化器６０）とメモリカード２ａのセキュリティブロック３２とによって、フラッシュメモリ２２に書き込まれるコンテンツ（ＡＴＲＡＣ３により圧縮されたオーディオデータ、以下ＡＴＲＡＣ３データと表記する）は、暗号化される。
セキュリティブロック３２は、バッファメモリ３３、ＤＥＳ（Data Encryption Standard）の暗号化回路３４、不揮発性メモリ３５等を有する。
【００３３】
メモリカード２ａのセキュリティブロック３２は、複数の認証キーとメモリカード毎にユニークなストレージキーを持つ。
不揮発性メモリ３５は、暗号化に必要なキーを格納するもので、外部からは見えない（読み出せない）ものとされている。例えばストレージキーが不揮発性メモリ３５に格納される。
さらに、乱数発生回路を持ち、専用（ある決められたデータフォーマット等の使用が同じシステム内の意味）携帯端末と正しく認証ができ、セッションキーを共有できる。
ＡＴＲＡＣ３データを暗号化するためのコンテンツキーは、セッションキーで暗号化されて携帯端末とメモリカード２ａとの間で伝送される。メモリカード２ａのセキュリティブロック３２と同様に、携帯端末のセキュリティブロックもセット固有のストレージキーを有する。暗号化されたコンテンツを移動する時に、ストレージキーを使用してコンテンツキーが掛け直される。
【００３４】
図３は、暗号化機能を有しない著作権非対応のメモリカード２ｂを示す。
図２に示したメモリカード２ａと比較すると、Ｓ／Ｐ，Ｐ／Ｓ，ＩＦブロック２３に対して、セキュリティブロック３２が接続されていない点が異なる。その他の構成に関してはメモリカード２ａと２ｂとは同一である。また図示していないが、形状、サイズもメモリカード２ａと２ｂとは同一とされている。
【００３５】
本例の携帯端末は、後述する暗号化器６０や認証回路５３を備え、著作権に関するセキュリティ対応機能を有するものであるので、挿入されたメモリカードとの相互認証、キーの通信等を行う。
若し、セキュリティブロックを有していない図３に示すメモリカード２ｂを装着すると、携帯端末側は、そのメモリカード２ｂが著作権非対応のものあると判別することになる。
【００３６】
携帯端末側が、装着されたメモリカードについて著作権対応のメモリカード２ａか、著作権非対応のメモリカード２ｂかを判別する方法としては、幾つかの方法が考えられる。
一つの方法としては、メモリカードが装着された時に、携帯端末は認証を行うために、キーを伝送する。このとき、装着されたメモリカードがメモリカード２ｂであったとすると、伝送したキーに対する正規の応答を受信できない。従って携帯端末は、所定時間以内に適切な応答がなければ、装填されたメモリカードが著作権非対応のメモリカード２ｂであると判別できる。
【００３７】
他の方法としては、メモリカードのある領域（ブート領域）中に、セキュリティ対応／非対応の識別情報を記録しておく方法がある。即ち携帯端末は、メモリカードが装着された時に、最初に携帯端末に読み込まれるメモリカードの領域（ブート領域）中における、セキュリティ対応／非対応の識別情報を読み取るようにすれば、その識別情報に基づいてメモリカードの種類（２ａ又は２ｂ）を判別することができる。
【００３８】
図４は、本例の携帯端末のブロック図を示す。なお、携帯端末によってメモリカードから再生したデータを、ヘッドホン等で出力したり、或いは他の機器へ送信するための出力系の回路構成等については図示を省略し、メモリカードへの記録系についてのみ示している。
【００３９】
図示するように携帯端末には、インターフェース回路５１、制御部５２、認証回路５３、コネクタ５４、マイクロホン５５、Ａ／Ｄ変換器５６、ＡＤＰＣＭエンコーダ５７、ライン入力端子５８、ＡＴＲＡＣエンコーダ５９、暗号化器６０、キャッシュＲＡＭ６１が設けられる。
インターフェース回路５１は、スロット１ａ、１ｂに装着されたメモリカード及び各回路部間でのデータのインターフェース処理を行う。
制御部５２はマイクロコンピュータにより形成され、全体の制御を行う。
認証回路５３は、著作権保護機能の１つとしてのメモリカードに対する認証処理を行う。また暗号化器６０も著作権保護機能の１つとしてのデータの暗号化処理を行う部位である。
キャッシュＲＡＭ６１は、各種処理過程において一時的にデータを記憶する部位となる。例えば、後述する著作権対応メモリカード２ａと著作権非対応メモリカード２ｂ間でデータ移動を行う際のテンポラリーバッファーとして用いられる。
【００４０】
ＡＤＰＣＭ（adapted pulse code modulation）エンコーダ５９は、供給されたデータについてＡＤＰＣＭ方式の圧縮処理を行い、ＡＤＰＣＭ信号に変換する。
ＡＴＲＡＣ(Adaptive Transform Acoustic Coding)エンコーダ５９は、供給されたデータについてＡＴＲＡＣ方式の圧縮処理を行い、ＡＴＲＡＣ信号に変換する。
【００４１】
コネクタ５４は、図１に示したケーブル４が接続されるコネクタであり、この携帯端末とパーソナルコンピュータを接続する部位である。このコネクタ５４により、パーソナルコンピュータから記録データの供給を受けることができる。このデータとは、例えばＡＴＲＡＣエンコード及び暗号化処理が既に施されているオーディオデータである。
マイクロホン５５は、図１に示したマイクロホン３に相当し、外部音声として集音されたオーディオ信号（アナログオーディオ信号）を得る。
ライン入力端子５８は、図１に示したライン入力端子６に相当し、外部機器（例えばＣＤプレーヤ、ＭＤプレーヤ、デジタル放送チューナ等）から、デジタルオーディオ信号を入力する端子となる。このデジタルオーディオ信号は、例えばサンプリング周波数４４．１ＫＨｚ、量子化ビット数１６ビットのデータである。
【００４２】
この携帯端末に対しては、著作権対応のメモリカード２ａと著作権非対応のメモリカード２ｂのいずれかを、選択的にスロット１ａ、１ｂに挿入することができる。スロット１ａ又は１ｂにメモリカード２ａ又は２ｂが挿入された場合は、インターフェース回路５１を介して、その挿入されたメモリカードと認証回路５３の間で認証処理が行われる。
そしてその認証結果に基づいて、挿入されたメモリカードが著作権対応メモリカード２ａか、或いは著作権非対応メモリカード２ｂかを制御部５２が判別する。
【００４３】
上述した口述録音モードにおいては、マイクロホン５５（もしくは図１に示したマイク入力端子５に接続されたマイクロホン）から入力されたアナログオーデイオ信号が、Ａ／Ｄ（アナログ−デジタル）変換器５６にてデジタルオーディオ信号に変換されて、ＡＤＰＣＭエンコーダ５９に供給される。
そしてＡＤＰＣＭエンコーダ５９においてＡＤＰＣＭ信号に変換された後、インターフェース回路５１を介して挿入されているメモリカードに記録データとして供給される。具体的な記録処理に関しては後述する。
【００４４】
また上述した音楽録音モードにおいては、ＲＳ−２３２Ｃ、ＩＥＥＥ１３９４ケーブル、もしくはＵＳＢ等のケーブルが接続されたコネクタ５４に、パーソナルコンピュータから暗号化及び圧縮処理が施されたオーディオ信号が供給されると、そのデータは、インターフェース回路５１を介して挿入されているメモリカードに記録データとして供給される。具体的な記録処理に関しては後述する。
【００４５】
更に音楽録音モードにおいて、ライン入力端子５８にＣＤプレーヤ等の再生機器から入力されたデジタルオーデイオ信号が供給された場合は、そのデジタルオーディオ信号はＡＴＲＡＣエンコーダ５９にてＡＴＲＡＣ信号に変換され、更に暗号化器６０にて暗号化が施される。そしてインターフェース回路５１を介して挿入されているメモリカードに記録データとして供給される。具体的な記録処理に関しては後述する。
【００４６】
図５及び図６を用いて本例の第１の動作例を示す。これは口述録音モードにおいて著作権対応のメモリカード２ａが挿入された場合の具体的な動作例となる。なお、図５及び図６においては図４と共通なブロックに関しては同一番号を付与している。また太破線はデータの流れを示している。
図５はスロット１ａに著作権対応メモリカード２ａが挿入されている場合である。
【００４７】
口述録音モードにおいては上述のように、マイクロホン５５から入力されたアナログオーデイオ信号に対して、Ａ／Ｄ変換器５６にてデジタルオーデイオ信号に変換を行い、ＡＤＰＣＭエンコーダ５９において更にＡＤＰＣＭ信号に変換を行い、そのＡＤＰＣＭ信号をインターフェース回路５１を介して挿入されているメモリカードに記録を行う。
この場合、記録されるデータは、著作権保護対象外の口述音声データ（口述ファイル）であるので、本来は著作権非対応メモリカード２ｂに記録するべきものであるが、著作権対応メモリカード２ａしか挿入されていないので、このメモリカード２ａに対して一旦記録を行う。
従って、本来、著作権対応メモリカード２ａに対して記録を行う際には暗号化を施して記録を行うものとされているが、上記口述ファイルに対しては暗号化を施さずにＡＤＰＣＭデータとして記録を行うこととなる。
【００４８】
このように口述ファイルを著作権対応メモリカード２ａに対して記録を行った後には、例えば図６に示すように空いていたスロット１ｂに著作権非対応メモリカード２ｂが挿入されることを待機する。
そしてスロット１ｂに著作権非対応メモリカード２ｂが挿入されたことが判別されたら、まずその著作権非対応メモリカード２ｂの空エリア（記録可能エリア）をチェックして、上記口述ファイルの記録に対して十分な空きエリアが存在するか否かをチェックする。
【００４９】
十分な空きエリアが存在する場合には、図６に示すように著作権対応メモリカード２ａに記録されたＡＤＰＣＭデータを読出し、インタフェース回路５１を介して一旦キャッシュＲＡＭ６１に書込を行い、さらにキャッシュＲＡＭ６１から所定単位でＡＤＰＣＭデータを読み出して新たに挿入された著作権非対応メモリカード２ｂに複写記録する。
【００５０】
なおこのとき、著作権対応メモリカード２ａに記録されているＡＤＰＣＭデータ（口述ファイル）に関しては、著作権非対応メモリカード２ｂにデータ複写を行った後に消去しても構わない。この場合、データの移動となる。
通常、著作権対応メモリカード２ａは著作権非対応メモリカード２ｂに比べて図２に示すようにセキュリティブロック３２を備える必要があるので高い値段で販売されるが、上記のように著作権対応メモリカード２ａに記録されているＡＤＰＣＭデータを著作権非対応メモリカード２ｂに移動した後に消去することで、高価な著作権対応メモリカード２ａを有効利用することができる。
【００５１】
本例の第１の動作例としては、このように、口述記録モード時にユーザが誤って著作権対応のメモリカード２ａを挿入して記録を行ったとしても、取り敢えず記録を行い、記録終了後に著作権対応メモリカード２ａから著作権非対応メモリカード２ｂに口述ファイルを移動するようにしている。
従って、ユーザーが記録を求めた口述音声については、仮に誤ってメモリカード２ａを用いたとしても（もしくはメモリカード２ａしか手持ちがなかったとしても）記録は実行されることになり、全く記録ができなかったという事態は生じない。これにより例えば重要な会議などで録音ができなかったというような不都合はなくなる。
【００５２】
図７〜図９に、この第１の動作例（口述記録モード）に係る制御部５２の処理の手順をフローチャートにて示す。
制御部５２は、まずステップＳＰ１０１にて複数スロット１ａ、１ｂのいずれかに著作権非対応メモリカード２ｂが挿入されたか否かを判別する。
このステップＳＰ１０１で、複数スロットのいずれかに著作権非対応メモリカード２ｂが挿入されたと判断された場合には、次にステップＳＰ１０２にて複数スロットに複数枚の著作権非対応メモリカード２ｂが挿入されたか否かを判別する。
【００５３】
ステップＳＰ１０２にて複数枚の著作権非対応メモリカード２ｂが挿入されたと判断された場合には、制御部５２の処理はステップＳＰ１０３に進んで、空き容量の大きい方の著作権非対応メモリカード２ｂに対して、口述ファイルの記録を開始する。そして記録終了操作に応じて処理を終える。
【００５４】
また、上記ステップＳＰ１０２にて単一の著作権非対応メモリカード２ｂが挿入されたと判断された場合には、制御部５２はステップＳＰ１０４にてそのメモリカード２ｂの空き容量のチェックを行い、空き容量が十分と判断された場合にはステップＳＰ１０５で口述ファイルの記録を開始する。そして記録終了操作に応じて処理を終える。
一方、ステップＳＰ１０４にて空き容量が不十分であると判断された場合にはステップＳＰ１０６で口述ファイルの記録を禁止して処理を終える。
【００５５】
以上は、口述記録モードにおいてユーザが正しく著作権非対応メモリカード２ｂを挿入した場合の処理となり、メモリカード２ｂの空き容量に応じて口述ファイルの記録が行われる場合となる。
【００５６】
ところが、口述記録モードにおいてユーザが著作権非対応メモリカード２ｂを挿入せず、スロット１ａ、１ｂの両方又は一方に著作権対応メモリカード２ａが挿入された場合は、以下のようになる。
即ち上記ＳＰ１０１にて複数スロット１ａ、１ｂのいずれかに、著作権非対応メモリカード２ｂが挿入されてなく、著作権対応メモリカード２ａのみが挿入されていると判断された場合には、制御部５２の処理はステップＳＰ１０７に進み、ここで複数スロット１ａ、１ｂに複数枚の著作権対応メモリカード２ａが挿入されているか否かを判別する。
【００５７】
ステップＳＰ１０７にて複数枚の著作権対応メモリカード２ａが挿入されたと判断された場合には、ステップＳＰ１０８に進んで、空き容量の大きい方の著作権対応メモリカード２ａに口述ファイルの記録を開始する。
【００５８】
そしてステップＳＰ１０７での口述ファイルの記録が終了すると、▲２▼として示すように図９のステップＳＰ１０９に進み、上記ステップＳＰ１０８にて選択されなかった側のメモリカード、即ち空き容量が少ない方と判断され記録が行われなかった著作権対応メモリカード２ａが、空き容量を有する新たな著作権非対応メモリカード２ｂに交換されることを待機する。
この待機中は、制御部５２は内部タイマーにより待機時間を計測しており、ステップＳＰ１１０でタイムアウトを監視する。
またステップＳＰ１１１では、ユーザー操作等により、記録の行われた方の著作権対応メモリカード２ａに対するイジェクト（脱却）命令が行われたかを監視する。
【００５９】
タイムアウトとなる前であって、また記録の行われた方の著作権対応メモリカード２ａに対するイジェクト命令が行われる前に、記録の行われなかった方の著作権対応メモリカード２ａがイジェクトされて、そのスロットに著作権非対応メモリカード２ｂが装着され、さらにその著作権非対応メモリカード２ｂが十分な空き容量をもっていた場合には、制御部５２の処理はステップＳＰ１０９から▲１▼として示すように図８のステップＳＰ１１３に進む。
【００６０】
ステップＳＰ１１３では、上記ステップＳＰ１０９で検出された交換により、著作権非対応メモリカード２ｂが挿入されたことを確認し、挿入されたと確認された場合には、ステップＳＰ１１４、ＳＰ１１５において、上記ステップＳＰ１０８の時点で著作権対応メモリカード２ａに記録された口述ファイルを、挿入された著作権非対応メモリカード２ｂに移動する。
つまりステップＳＰ１１４において、図６で説明したように著作権非対応メモリカード２ｂへの口述ファイルの複写を行ない、その後ステップＳＰ１１５にて著作権対応メモリカード２ａ内の口述ファイルを消去することで、メモリカード２ａ→２ｂへの口述ファイルの移動を完了し、処理を終える。
【００６１】
一方、上記ステップＳＰ１０９において、記録の行われなかった方の著作権対応メモリカード２ａと著作権非対応メモリカード２ｂの交換が検出されないまま、ステップＳＰ１１０でタイムアウトとなった場合、或いはステップＳＰ１１１で記録の行われた方の著作権対応メモリカード２ａに対するイジェクト命令の発生が検出された場合は、上記図８の処理としての口述ファイルの移動ができないことになる。
この場合は、ステップＳＰ１１２に進んで、記録を行った著作権対応メモリカード２ａ内の口述ファイルの消去を行なって処理を終える。
【００６２】
図７のステップＳＰ１０７において、口述記録モード時に単一の著作権対応メモリカード２ａが挿入されたと判断された場合には、ステップＳＰ１１６にて空き容量のチェックを行い、空き容量が十分と判断された場合には、ステップＳＰ１１７で、その著作権対応メモリカード２ａへの口述ファイルの記録を開始する。なお、ステップＳＰ１１６にて空き容量が不十分であると判断された場合にはステップＳＰ１１８で口述ファイルの記録を禁止して処理を終える。
【００６３】
上記ステップＦ１１７での記録処理が終了した後は、制御部５２の処理はステップＳＰ１１７から▲１▼として示すように図８のステップＳＰ１１３に進む。
そしてこのステップＳＰ１１３にて空いている方のスロットに著作権非対応メモリカード２ｂが挿入されたか否かを判別（及び待機）する。
著作権非対応メモリカード２ｂが挿入されたと判断された場合には、ステップＳＰ１１４、ＳＰ１１５において、上記ステップＳＰ１１７の時点で著作権対応メモリカード２ａに記録された口述ファイルを、挿入された著作権非対応メモリカード２ｂに移動する。
つまりステップＳＰ１１４において、図６で説明したように著作権非対応メモリカード２ｂへの口述ファイルの複写を行ない、その後ステップＳＰ１１５にて著作権対応メモリカード２ａ内の口述ファイルを消去することで、メモリカード２ａ→２ｂへの口述ファイルの移動を完了し、処理を終える。
【００６４】
以上のような処理が行われることにより、口述記録モード時においては、基本的にはマイクロホン５５等からのオーディオ信号による口述ファイルが、著作権非対応メモリカード２ｂに記録されるが、もし著作権対応メモリカード２ａしか装着されてなかった場合は、その著作権対応メモリカード２ａに口述ファイルが記録され、記録後において、著作権非対応メモリカード２ｂに移動されることになる。
これにより、ユーザーが誤って著作権対応メモリカード２ａを装着しても、録音すべき口述ファイルは、ユーザーの装着ミスに関わらず録音できると共に、後に本来の状態、つまり著作権非対応メモリカード２ｂに録音されている状態とすることができる。
【００６５】
次に、図１０及び図１１を用いて本例の第２の動作例（音楽記録モード）について説明する。ここでは音楽録音モードにおいて著作権非対応メモリカード２ｂが挿入された場合の具体的な処理を示す。なお、図１０及び図１１においては図４と共通なブロックに関しては同一番号を付与している。
【００６６】
音楽記録モードにおいては、上述のように、例えばパーソナルコンピュータから伝送されてくる予め圧縮処理及び暗号化が施されたデジタルオーデイオ信号（音楽ファイル）をコネクタ５４にて受信し、インターフェース回路５１を介して挿入されているメモリカードに記録を行うものである。
ここで本来は、著作権保護対象とされる音楽ファイルについては著作権対応メモリカード２ａに記録されるべきものであるが、図１０の場合は著作権非対応メモリカード２ｂしか挿入されていないので、このメモリカード２ｂに対して一旦記録を行うようにする。
そして本来、著作権非対応メモリカード２ｂに対して記録を行う際には暗号化を施して記録を行う必要は無いが、この場合は上記音楽ファイルに対しては暗号化を施してたＡＴＲＡＣデータとして記録を行うものとなる。
【００６７】
このように音楽ファイルを著作権非対応メモリカード２ｂに対して記録を行った後には、例えば図１１に示すように空いていたスロット１ａに著作権対応メモリカード２ａが挿入されることを待機する。
そしてスロット１ａに著作権対応メモリカード２ａが挿入されたことが判別されたら、まずその著作権対応メモリカード２ａの空エリア（記録可能エリア）をチェックして、上記音楽ファイルの記録に対して十分な空きエリアが存在するか否かをチェックする。
【００６８】
十分な空きエリアが存在する場合には、図１１に示すように著作権非対応メモリカード２ｂに記録されたＡＴＲＡＣデータを読出し、インタフェース回路５１を介して一旦キャッシュＲＡＭ６１に書込を行い、さらにキャッシュＲＡＭ６１から所定単位でＡＴＲＡＣデータを読み出して新たに挿入された著作権対応メモリカード２ａに複写記録する。
【００６９】
なおこのとき、著作権非対応メモリカード２ｂに記録されているＡＴＲＡＣデータ（音楽ファイル）に関しては、著作権対応メモリカード２ａにデータ複写を行った後に消去しても構わない。この場合、データの移動となる。
【００７０】
本例の第２の動作例としては、このように、音楽記録モード時にユーザが誤って著作権非対応のメモリカード２ｂを挿入して記録を行ったとしても、取り敢えず記録を行い、記録終了後に著作権対応メモリカード２ａに音楽ファイルを移動するようにしている。
従って、ユーザーが記録を求めた音楽等については、仮に誤ってメモリカード２ｂを用いたとしても（もしくはメモリカード２ｂしか手持ちがなかったとしても）記録は実行されることになり、全く記録ができなかったという事態は生じない。
説明は省略したが、外部のＣＤプレーヤ等からライン入力端子５８に供給されたデータ（音楽ファイル）の記録時も同様となる。
【００７１】
なお、上記動作の場合、著作権保護を行うべき音楽ファイルが一時的にせよ著作権非対応メモリカード２ｂに記録されることになるが、これによって著作権保護ができなくなるということはない。
即ち、通常、著作権非対応メモリカード２ｂには、著作権保護を気にする必要が無いので本来は暗号化を施す必要は無いが、本例の場合には著作権非対応メモリカード２ｂに敢えて暗号化を施した音楽ファイルを記録するようにしている。そして著作権非対応メモリカード２ｂには暗号化を解く回路及び認証回路であるセキュリティブロック３２（図２参照）を搭載していないので、暗号化が解かれることはないためである。
【００７２】
図１２〜図１４に、この第２の動作例（音楽記録モード）に係る制御部５２の処理の手順をフローチャートにて示す。
制御部５２は、まずステップＳＰ２０１にて複数スロット１ａ、１ｂのいずれかに著作権対応メモリカード２ａが挿入されたか否かを判別する。
このステップＳＰ２０１で、複数スロットのいずれかに著作権対応メモリカード２ａが挿入されたと判断された場合には、次にステップＳＰ２０２にて複数スロットに複数枚の著作権対応メモリカード２ａが挿入されたか否かを判別する。
【００７３】
ステップＳＰ２０２にて複数枚の著作権対応メモリカード２ａが挿入されたと判断された場合には、制御部５２の処理はステップＳＰ２０３に進んで、空き容量の大きい方の著作権対応メモリカード２ａに対して、音楽ファイルの記録を開始する。そして記録終了操作に応じて処理を終える。
【００７４】
また、上記ステップＳＰ２０２にて単一の著作権対応メモリカード２ａが挿入されたと判断された場合には、制御部５２はステップＳＰ２０４にてそのメモリカード２ａの空き容量のチェックを行い、空き容量が十分と判断された場合にはステップＳＰ２０５で音楽ファイルの記録を開始する。そして記録終了操作に応じて処理を終える。
一方、ステップＳＰ２０４にて空き容量が不十分であると判断された場合にはステップＳＰ２０６で音楽ファイルの記録を禁止して処理を終える。
【００７５】
以上は、音楽記録モードにおいてユーザが正しく著作権対応メモリカード２ａを挿入した場合の処理となり、メモリカード２ａの空き容量に応じて音楽ファイルの記録が行われる場合となる。
【００７６】
ところが、音楽記録モードにおいてユーザが著作権対応メモリカード２ａを挿入せず、スロット１ａ、１ｂの両方又は一方に著作権非対応メモリカード２ｂが挿入された場合は、以下のようになる。
即ち上記ＳＰ２０１にて複数スロット１ａ、１ｂのいずれかに、著作権対応メモリカード２ａが挿入されてなく、著作権非対応メモリカード２ｂのみが挿入されていると判断された場合には、制御部５２の処理はステップＳＰ２０７に進み、ここで複数スロット１ａ、１ｂに複数枚の著作権非対応メモリカード２ｂが挿入されているか否かを判別する。
【００７７】
ステップＳＰ２０７にて複数枚の著作権非対応メモリカード２ｂが挿入されたと判断された場合には、ステップＳＰ２０８に進んで、空容量の大きい方の著作権非対応メモリカード２ｂに音楽ファイルの記録を開始する。
【００７８】
そしてステップＳＰ２０７での音楽ファイルの記録が終了すると、▲４▼として示すように図１４のステップＳＰ２０９に進み、上記ステップＳＰ２０８にて選択されなかった側のメモリカード、即ち空き容量が少ない方と判断され記録が行われなかった著作権非対応メモリカード２ｂが、空き容量を有する新たな著作権対応メモリカード２ａに交換されることを待機する。
この待機中は、制御部５２は内部タイマーにより待機時間を計測しており、ステップＳＰ２１０でタイムアウトを監視する。
またステップＳＰ２１１では、ユーザー操作等により、記録の行われた方の著作権非対応メモリカード２ｂに対するイジェクト（脱却）命令が行われたかを監視する。
【００７９】
タイムアウトとなる前であって、また記録の行われた方の著作権非対応メモリカード２ｂに対するイジェクト命令が行われる前に、記録の行われなかった方の著作権非対応メモリカード２ｂがイジェクトされて、そのスロットに著作権対応メモリカード２ａが装着され、さらにその著作権対応メモリカード２ａが十分な空き容量をもっていた場合には、制御部５２の処理はステップＳＰ２０９から▲３▼として示すように図１３のステップＳＰ２１３に進む。
【００８０】
ステップＳＰ２１３では、上記ステップＳＰ２０９で検出された交換により、著作権対応メモリカード２ａが挿入されたことを確認し、挿入されたと確認された場合には、ステップＳＰ２１４、ＳＰ２１５において、上記ステップＳＰ２０８の時点で著作権非対応メモリカード２ｂに記録された音楽ファイルを、挿入された著作権対応メモリカード２ａに移動する。
つまりステップＳＰ２１４において、図１１で説明したように著作権対応メモリカード２ａへの音楽ファイルの複写を行ない、その後ステップＳＰ２１５にて著作権非対応メモリカード２ｂ内の音楽ファイルを消去することで、メモリカード２ｂ→２ａへの音楽ファイルの移動を完了し、処理を終える。
【００８１】
一方、上記ステップＳＰ２０９において、記録の行われなかった方の著作権非対応メモリカード２ｂと著作権対応メモリカード２ａの交換が検出されないまま、ステップＳＰ２１０でタイムアウトとなった場合、或いはステップＳＰ２１１で記録の行われた方の著作権非対応メモリカード２ｂに対するイジェクト命令の発生が検出された場合は、上記図１３の処理としての音楽ファイルの移動ができないことになる。
この場合は、ステップＳＰ２１２に進んで、記録を行った著作権非対応メモリカード２ｂ内の音楽ファイルの消去を行なって処理を終える。
【００８２】
図１２のステップＳＰ２０７において、音楽記録モード時に単一の著作権非対応メモリカード２ｂが挿入されたと判断された場合には、ステップＳＰ２１６にて空き容量のチェックを行い、空き容量が十分と判断された場合には、ステップＳＰ２１７で、その著作権非対応メモリカード２ｂへの音楽ファイルの記録を開始する。なお、ステップＳＰ２１６にて空き容量が不十分であると判断された場合にはステップＳＰ２１８で音楽ファイルの記録を禁止して処理を終える。
【００８３】
上記ステップＦ１１７での記録処理が終了した後は、制御部５２の処理はステップＳＰ２１７から▲３▼として示すように図１３のステップＳＰ２１３に進む。
そしてこのステップＳＰ２１３にて空いている方のスロットに著作権対応メモリカード２ａが挿入されたか否かを判別（及び待機）する。
著作権対応メモリカード２ａが挿入されたと判断された場合には、ステップＳＰ２１４、ＳＰ２１５において、上記ステップＳＰ２１７の時点で著作権非対応メモリカード２ｂに記録された音楽ファイルを、挿入された著作権対応メモリカード２ａに移動する。
つまりステップＳＰ２１４において、図１１で説明したように著作権対応メモリカード２ａへの音楽ファイルの複写を行ない、その後ステップＳＰ２１５にて著作権非対応メモリカード２ｂ内の音楽ファイルを消去することで、メモリカード２ｂ→２ａへの音楽ファイルの移動を完了し、処理を終える。
【００８４】
以上のような処理が行われることにより、音楽記録モード時においては、基本的にはパーソナルコンピュータ等からのオーディオ信号による音楽ファイルが、著作権対応メモリカード２ａに記録されるが、もし著作権非対応メモリカード２ｂしか装着されてなかった場合は、その著作権非対応メモリカード２ｂに音楽ファイルが記録され、記録後において、著作権対応メモリカード２ａに移動されることになる。
これにより、ユーザーが誤って著作権非対応メモリカード２ｂを装着しても、録音すべき音楽ファイルは、ユーザーの装着ミスに関わらず録音できると共に、後に本来の状態、つまり著作権対応メモリカード２ａに録音されている状態とすることができる。
【００８５】
特に著作権保護対象であるコンテンツ（音楽ファイル）を有料でダウンロード記録することを考えると、課金処理を行った後に誤って著作権非対応メモリカード２ｂが挿入されたとしても、データの録音は実行され、後に著作権対応メモリカード２ａに移動させることができ、ユーザの課金処理が無駄になることは無い。
【００８６】
更に、ＣＤプレーヤ等からのデジタル信号に暗号化を施して音楽ファイルとして記録を行う際に、誤って著作権非対応メモリカード２ｂが挿入されたとしても、一旦記録を行ってしまい、記録後に著作権対応メモリカード２ａが挿入されたならば音楽ファイルの移動処理を行なうことで音楽ファイルの録音の補償ができるとともに、著作権対応メモリカード２ａの挿入（又は差換え）を余裕を以って行うことができるので、録音するコンテンツの冒頭部が録音できないという問題も発生しない。
【００８７】
また、一時的に著作権非対応メモリカード２ｂに記録された音楽ファイルは、上記ステップＳＰ２１２又はＳＰ２１５の処理において消去されるため、著作権保護が必要な音楽ファイルが、その後イジェクトされた著作権非対応メモリカード２ｂに残されているということはなく、従って本例の動作によって、著作権保護機能が低下するということはない。
【００８８】
以上実施の形態について説明してきたが、本発明としての構成、処理手順、記録対象データなどは多様な例が考えられる。
例えば上記例では著作権保護対象外のコンテンツとして会議録音等の口述記録の例を示したが、当然個人が撮影した風景や人物などの静止画像、動画像なども著作権保護対象外のコンテンツとして適用できる。
また著作権保護対象のコンテンツとしてはパーソナルコンピュータやＣＤプレーヤ等からの音楽記録の例を示したが、当然他のメディア（例えばＤＶＤ等）から静止画像、動画像であったも著作権保護対象のコンテンツとして適用できる。
【００８９】
【発明の効果】
以上説明したように本発明では、複数のメモリカードを同時に装着できるため、一方のメモリカードから他方のメモリカードへのデータの複写や移動が容易に実行できる。
また本発明では、著作権対応のメモリカードが挿入されている際に著作権保護非対象（著作権保護が不要な情報）のデータが記録されようとする場合でも、そのデータを著作権対応のメモリカードに記録するようにし、後に著作権非対応のメモリカードに移動又は複写されるようにしている。また逆に、著作権非対応のメモリカードが挿入されている際に著作権保護対象（著作権保護が必要な情報）のデータが記録されようとする場合でも、そのデータを著作権非対応のメモリカードに記録するようにし、後に著作権対応のメモリカードに移動又は複写されるようにしている。
このため、外観が類似した著作権対応メモリカードと著作権非対応メモリカードの間でユーザーが誤って挿入したとしても、ユーザーが記録を望んだ記録内容は保全することができ、記録失敗という事態を招かないという効果がある。
【図面の簡単な説明】
【図１】本発明の実施の形態の携帯端末の外観の説明図である。
【図２】実施の形態で使用される著作権対応のメモリカードのブロック図である。
【図３】実施の形態で使用される著作権非対応のメモリカードのブロック図である。
【図４】実施の形態の携帯端末の要部のブロック図である。
【図５】実施の形態の携帯端末の口述記録モードにおける記録時の信号系路の説明図である。
【図６】実施の形態の携帯端末の移動／複写時の信号系路の説明図である。
【図７】実施の形態の携帯端末の口述記録モード時の処理のフローチャートである。
【図８】実施の形態の携帯端末の口述記録モード時の処理のフローチャートである。
【図９】実施の形態の携帯端末の口述記録モード時の処理のフローチャートである。
【図１０】実施の形態の携帯端末の音楽記録モードにおける記録時の信号系路の説明図である。
【図１１】実施の形態の携帯端末の移動／複写時の信号系路の説明図である。
【図１２】実施の形態の携帯端末の音楽記録モード時の処理のフローチャートである。
【図１３】実施の形態の携帯端末の音楽記録モード時の処理のフローチャートである。
【図１４】実施の形態の携帯端末の音楽記録モード時の処理のフローチャートである。
【符号の説明】
１  スロット、２ａ  著作権対応メモリカード、２ｂ  著作権非対応メモリカード、３  マイクロホン、４  ケーブル、５  マイク入力端子、６  ライン入力端子、５１  インターフェース回路、５２  制御部、５３  認証回路、６０  暗号化器、６１  キャッシュＲＡＭ
【図１】
0004352523.tif 000002
【図２】
0004352523.tif 000003
【図３】
0004352523.tif 000004
【図４】
0004352523.tif 000005
【図５】
0004352523.tif 000006
【図６】
0004352523.tif 000007
【図７】
0004352523.tif 000008
【図８】
0004352523.tif 000009
【図９】
0004352523.tif 000010
【図１０】
0004352523.tif 000011
【図１１】
0004352523.tif 000012
【図１２】
0004352523.tif 000013
【図１３】
0004352523.tif 000014
【図１４】
0004352523.tif 000015